(57)【要約】  【課題】  書類の収納および取り出し作業性を損ねることなく、収納された書類の落下を確実に防止可能とする新たなファイル技術を提供する。  【解決手段】  シート状素材を折れ目部３から二つ折にし、所定矩形用紙９の縦横寸法を上回る外形縦横寸法に設定され、折れ目部３に隣り合う辺縁４１，５１を一体化してなるホルダー本体２の、表シート面部４辺縁４３適所に切り欠き部６を形成すると共に、表裏面シート面部４，５の二辺縁４２，４３，５２，５３であって、実質的に閉塞された隅角部２１と対角線状に対峙する辺りの近傍内がわ適所夫々に、これら開放がわの二辺縁４２，４３，５２，５３を仮着状とし得るようにした少なくとも一対の雌雄ファスナー部７，８が形成されてなる書類ホルダー１である。【選択図】    図１
2007283694.tif 000002
【特許請求の範囲】
【請求項１】
保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなるものとしたことを特徴とする書類ホルダー。
【請求項２】
保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなり、雌雄ファスナー部を離脱させて開放状としたホルダー本体表裏シート面部間に対象の所定矩形用紙の適数を挟み込み状に収容し、雌雄ファスナーを接着することにより、収容された矩形用紙の落下を阻止可能なものとしてなることを特徴とする書類ホルダー。
【請求項３】
合成樹脂製の保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなるものとしたことを特徴とする書類ホルダー。
【請求項４】
ホルダー本体の表裏シート面部の各雌雄ファスナー部が、夫々合成繊維製またはフック成型品からなるフック面ファスナーとループ面ファスナーとを該当する各所に貼着あるいは熔着、一体化されてなるものとした、前記請求項１ないし３何れか一項記載の書類ホルダー。
【請求項５】
ホルダー本体の表裏シート面部の各雌雄ファスナー部が、表裏シート面部の何れか一方の該当箇所に両面粘着剤帯を貼着し、各両面粘着帯の表裏シート面部何れか他方の各該当箇所を着脱自在な被粘着帯に設定し、且つ各両面粘着剤帯の露出面に剥離紙を貼着されてなるものとした、前記請求項１ないし３何れか一項記載の書類ホルダー。
【請求項６】
ホルダー本体の表裏シート面部の各雌雄ファスナー部が、収納状態の矩形用紙に干渉しないよう対応角縁に沿って概略Ｌ字状に一体化、連続されるよう設定されてなるものとした、前記請求項１ないし３何れか一項記載の書類ホルダー。
【請求項７】
ホルダー本体の表裏シート面部の各雌雄ファスナー部が、収納状態の矩形用紙に干渉しないよう対応角縁に沿って概略Ｌ字状に一体化、連続された嵌着用凸条と、これに弾性的に嵌着可能な嵌着用溝との組み合わせからなる密閉用ファスナーに設定されてなるものとした、前記請求項１ないし３何れか一項記載の書類ホルダー。
【請求項８】
ホルダー本体の表裏シート面部の各雌雄ファスナー部が、表裏シート面部を互いに着脱可能とするよう対をなした鳩目型ファスナーとするよう設定されてなるものとした、前記請求項１ないし３何れか一項記載の書類ホルダー。                                                                              
【発明の詳細な説明】
【技術分野】
【０００１】
この発明は、事務用品に関連するあらゆる分野をその技術分野とするものであり、特に書類用のホルダーを製造、提供、販売する分野は勿論のこと、その製造に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                  
【背景技術】
【０００２】
（着目点）
書類を汚損から保護して持ち運び、保管するためのホルダーには、定型または不定型の紙製封筒や合成樹脂製のクリアホルダー等、様々なものが利用されており、所定縦横寸法に設定された矩形用紙を収納可能とするよう矩形状シートを二つ折りにし、折れ目部分に隣接する一辺を熔着し、残るＬ字型に隣接する２辺を開放状としたクリアホルダーは、１辺のみを開放した紙製の封筒に比較して書類の収納や取り出しが容易であり、頻繁に書類を出し入れしなければならないとき等に非常に便利であり、耐久性にも秀れ、濡れた手で持ち運んでも書類を保護できる程度の防水機能をもっているなどの理由から、多方面に亘って広く利用されている。
【０００３】
しかしながら、これら多用されるクリアホルダーも、その矩形状の二重シート構造とした本体の隣接する２辺が開放しているという構造のために、図６の従来型のクリアホルダーの正面図中の白抜き矢印に示すように、開放がわの二辺４３，５３をうっかり下側に向けてしまうと、挟み込み、収容した筈の書類９が持ち運びの途中に不用意に落下させてしまい、それが特に秘匿性の高い文書や重要書類などであった場合、その落下に気付かないまま利用者がその場を移動してしまうようなことになってしまうと、利用者は勿論ではあるが、何よりも情報が散逸して個人情報が悪用されるなどの危険が伴ってしまうという大きな問題に繋がることも懸念され、利便性に富んでいる反面、封筒やブック型ファイルなどに比較すれば、書類を確実に所持する上で常に落下事故を想定しておかなければならないという難点があった。
【０００４】
（従来の技術）
そのため、こうした事態に対処しようとして、例えば特開平１０−７１７９３号公報「クリアホルダー」発明として提案されているもののように、重ね合わされた一方のビニール板の折り曲げ部に対向した開放部の端部に、折り曲げ部と反対方向に突出しインデックス等を取付けるためのインデックス取付け部と、折り曲げ部方向に伸び他方のビニール板を押さえる押さえ部とを設け、該押さえ部で書類の落下を防止すると共に、開放した長辺部分を下向きにしても保管できるようにしたものや、特開２０００−１５９７２号公報に開示された「クリアホルダー」発明のように、１枚のシートを折り曲げて重ね合わせ、この折り曲げ部に隣接する２辺を溶着等により各シール部として形成し、残りの１辺を開放部として書類の挿入口とし、更に書類の出し入れを容易にするため、一方のシール部の一部に切り欠き部を設けたものとし、不用意に収納書類が脱落するのを防止可能とするようにしたもの等が散見される。
【０００５】
しかし、前者の「クリアホルダー」発明は、重ね合わされた一方のビニール板とは反対側となる他方のビニール板を押さえる目的のため固着された押さえ部は、書類をホルダー内に収めた後に、撚り操作を加えて他方のビニール板に係合させなければ、書類の落下を阻止することができず、また、取り出しの際に押さえ部に引っ掛かり、書類を損傷または破損させてしまう虞が高いという欠点を有するものとなっており、また、後者の「クリアホルダー」発明は、１枚のシートを折り曲げて重ね合わせ、この折り曲げ部に隣接する２辺を溶着してなるものであり、基本的な構成を従来型の封筒等と同様に、１辺のみを開放したものであることから、一般的な隣接する２辺を開放したクリアホルダーに比較して収納書類の落下をより確実に防止できるようにはしているものの、書類の収納や取り出しの作業性が悪化してしまうという新たな課題を生じてしまい、一部に切り欠き部を形成して収納および取り出しの作業性を改善しようとしてはいるが、数枚程度の比較的薄い資料の場合には、書類剛性が弱いため容易に変形してクリアホルダーの深部まで装着するのが難しく、また比較的厚い書類の場合には、１辺だけを開放部分からクリアホルダー深部まで装着するのが難しいという現象を招く虞が高いという欠点を残すものであった。                                                                  
【特許文献１】（１）特開平１０−７１７９３号公報    （２）特開２０００−１５９７２号公報
【発明の開示】
【発明が解決しようとする課題】
【０００６】
（問題意識）
上述したとおり、従前までに提案のある「クリアホルダー」は、何れも従来型の隣接する２辺が開放された書類ホルダーに比較すれば、収容された書類の落下をより確実に防止できるようになってはいるものの、押さえ部を設けたものの場合は、書類の収納および取り出し作業性を悪化させてしまい、収納または取り出しの際に書類を傷付けてしまう虞があり、また、１枚のシートを折り曲げて重ね合わせ、この折り曲げ部に隣接する２辺を溶着してなるものの場合には、１辺だけの開放となってしまって書類の収納および取り出し作業性を大幅に悪化させてしまうという課題を残すものとなっていた。
【０００７】
（発明の目的）
そこで、この発明は、書類の収納および取り出し作業性を損ねることなく、収納された書類の落下を確実に防止可能とする新たなファイル技術の開発はできないものかとの判断から、逸速くその開発、研究に着手し、長期に渡る試行錯誤と幾多の試作、実験とを繰り返してきた結果、今回、遂に新規な構造の書類ホルダーを実現化することに成功したものであり、以下では、図面に示すこの発明を代表する実施例と共に、その構成を詳述することとする。                                                                                                            
【課題を解決するための手段】
【０００８】
（発明の構成）
図面に示すこの発明を代表する実施例からも明確に理解されるように、この発明の書類ホルダーは、基本的に次のような構成から成り立っている。
即ち、保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなるものとした構成を要旨とする書類ホルダーである。
【０００９】
この基本的な構成からなる書類ホルダーを、表現を変えて示すならば、保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなり、雌雄ファスナー部を離脱させて開放状としたホルダー本体表裏シート面部間に対象の所定矩形用紙の適数を挟み込み状に収容し、雌雄ファスナーを接着することにより、収容された矩形用紙の落下を阻止可能とする構成からなる書類ホルダーとなる。
【００１０】
そして、より具体的には、合成樹脂製の保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるホルダー本体を形成する一方、該ホルダー本体の表裏シート面部の何れか一方のシート面部で、これら表裏シート面部が一体化されずに開放状のままとした二辺縁の中の少なくとも何れか一方の辺縁適所から内側方向に適宜形状の切り欠き部を形成すると共に、これら二辺縁であって、前記した実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されてなる書類ホルダーと言うことができる。                                                    
【発明の効果】
【００１１】
以上のとおり、この発明の書類ホルダーによれば、表裏シート面部の隣り合う二辺縁が実質的に閉塞されてなるホルダー本体を形成し、当該実質的に閉塞された二辺縁が形成する隅角部と対角線状に対峙する辺りの近傍内がわ適所夫々に、これら開放がわの二辺縁を仮着状とし得るようにした少なくとも一対の雌雄ファスナー部の何れか一方と他方とが、対をなすよう形成されてなるものとし、従来型のシート折り曲げ部に隣接する二辺を熔着し、一辺だけを開放したものや、隣接する二辺を開放状とし、一方のシート面、開放がわ縁部の適所に舌片折り畳み状の押さえ部を形成したクリアホルダー等に比較し、開放状とした隣接する二辺と雌雄ファスナー部との組み合わせが、書類の収納および取り出し作業性を高めると共に、当該雌雄ファスナー部を接着状とすることによって収納された書類の落下を確実に防止可能とすることができる上、表裏シート面部が一体化されずに開放状のままとした二辺縁の中の少なくとも何れか一方の辺縁適所から内側方向に適宜形状の切り欠き部を形成し、当該切り欠き部形成位置に支障を来すことなく少なくとも一対の雌雄ファスナー部を形成し、これら各雌雄ファスナー部が支障とならずに切り欠き部を利用して収納された書類を掴み、容易に取り出すことができるという秀れた特徴を発揮することができる。
【００１２】
また、ホルダー本体を合成樹脂製のものでは、上述のような隣接する二辺の開放によって書類の収納および取り出し作業性を高め、少なくとも一対の雌雄ファスナー部の形成によって収納した書類の落下を確実に防止することができ、切り欠き部を利用して収納してある書類を掴み、容易に取り出すことができるという特徴を有する上、紙製のホルダーに比較して耐久強度に秀れ、しかも簡易適な防水性を確保して書類の汚損を防止する機能を高めたものとすることができ、それが透明な樹脂シート製のものでは、さらに、内部の資料を取り出すことなく収納してある書類の内容を見ることができ、書類の整理や利用の作業効率を格段に高めることができる。
【００１３】
ホルダー本体の表裏シート面部の各雌雄ファスナー部が、夫々合成繊維製またはフック成型品からなるフック面ファスナーとループ面ファスナーとを該当する各所に貼着あるいは熔着一体化したものでは、対をなす雌雄ファスナー部同士だけが接着力を発揮し、他の表裏シート面部や収容された書類等に対して吸着力を発揮することがなく、矩形用紙の収納および取り出し作業に全く支障を来すこともなく円滑な取り扱いを実現し、しかも確実に閉鎖することができ、開閉操作性を高めて書類の損傷等をより確実に防止できるものとなる。
【００１４】
ホルダー本体の表裏シート面部の各雌雄ファスナー部が、表裏シート面部の何れか一方の該当箇所に両面粘着剤帯を貼着し、各両面粘着帯の表裏シート面部何れか他方の各該当箇所を着脱自在な被粘着帯に設定し、且つ各両面粘着剤帯の露出面に剥離紙を貼着してなるものでは、ホルダー本体の雌雄ファスナー部装着箇所を肉厚化することなく、実質的に表裏シート面部を重ね合わせたのと略同等の厚み寸法に抑えることが可能となり、大量の書類ホルダーを重ねてファイルするような場合にも崩れることがなく、効率的且つ整然と管理することができる。
また、ホルダー本体の表裏シート面部の各雌雄ファスナー部が、収納状態の矩形用紙に干渉しないよう対応角縁に沿って概略Ｌ字状に一体化、連続されるよう設定したものでは、接着面積を拡大し、より高い接着力を確保することが可能となり、書類の脱落を一段と確実に防止できるものとすることができる。
【００１５】
さらにまた、ホルダー本体の表裏シート面部の各雌雄ファスナー部が、収納状態の矩形用紙に干渉しないよう対応角縁に沿って概略Ｌ字状に一体化、連続された嵌着用凸条と、これに弾性的に嵌着可能な嵌着用溝との組み合わせからなる密閉用ファスナーに設定したものでは、ホルダー本体を合成樹脂製として熔着または一体成型したものとすることが可能となり、生産性に秀れるという特徴がえられ、しかも対をなす雌雄ファスナー部同士を重ね合わせて厚み方向に圧縮加圧することによって簡便に嵌着、閉鎖状態を得ることが可能となり、引き剥がし操作によって簡便に開放させることができ、比較的廉価で経済性に秀れたものとすることができ、ホルダー本体の表裏シート面部の各雌雄ファスナー部が、表裏シート面部を互いに着脱可能とするよう対をなした鳩目型ファスナーとするようにしたものでは、効率的に大量生産することができる上、鳩目型ファスナーによる高い開閉操作性および耐久強度を得ることができる。                                                                                                    
【発明を実施するための最良の形態】
【００１６】
上記したとおりの構成からなるこの発明につき、その最良もしくは望ましい形態について順次説明を加えていくことにする。
ホルダー本体は、保管などの対象となる所定矩形用紙の表裏面を十分に包囲し、ファイルおよび保護可能とする機能とを果たすものであり、保形性ある適宜シート状素材を折れ目部から二つ折にし、保管などの対象とする所定矩形用紙の縦横寸法を上回る外形縦横寸法に設定されたものにすると共に、当該折れ目部に隣り合う上下何れかの辺縁を適宜手段で一体化してしまい、矩形状とした表裏シート面部の隣り合う二辺縁が実質的に閉塞されてなるものとしなければならず、より具体的には、ＪＩＳ規格またはそれ以外の何れかの規格に基づいた矩形用紙あるいは任意に寸法設定した縦横寸法の矩形用紙を挟み込み状に収納可能とする外形縦横寸法の保形性を有する紙製、合成樹脂シート製、金属箔製もしくはそれらの複合素材シート製等様々な素材製のものとすることができ、表現を変えて示すと無色透明または有色透明あるいは無色不透明もしくは有色不透明な合成樹脂シート製とすることが可能であり、生産性を考慮すると折れ目部に隣り合う上下何れかの表裏シート面部の辺縁同士を接着剤による接着または熱熔着によって一体化したものとするのが望ましい。
【００１７】
折れ目部は、保形性ある適宜シート状素材の表裏シート面部を別ける境界線部分となり、該表裏シート面部間に収容された書類が、脱落するのを阻止するよう閉鎖状の辺部分を形成する機能を果たすものであり、シート状素材を折り畳み形成したものしなければならず、表裏シート面部の夫々が、保管などの対象とする所定矩形用紙の縦横寸法を上回る外形縦横寸法に設定されるよう配置、設定されたものとしなければならない。
【００１８】
表裏面シート部は、保管などの対象とする所定矩形用紙の表裏面を十分に包囲可能とし、折れ目部を介して連続状の収容空間を形成可能とする機能を果たし、保形性ある適宜シート状素材を折れ目部を境に折り畳むことによって形成され、折れ目部と共にホルダー本体を形成するものとなり、上下何れかの辺縁が一体化されたものとしなければならず、一体化されずに開放状のままとした二辺縁の中の少なくとも何れか一方の辺縁適所から内側方向に適宜形状の切り欠き部を形成し、実質的に閉塞された二辺縁が形成する隅角部と対角線状に対峙する辺りの近傍内がわ適所夫々には、これら開放がわの二辺縁を仮着状とし得るようにした少なくとも一対の雌雄ファスナー部の何れか一方と他方とが、対をなし且つ当該切り欠き部形成位置に支障を来すことなく形成されたものとすべきである。
【００１９】
切り欠き部は、表裏シート面部が一体化されずに開放状のままとした二辺縁の中の少なくとも何れか一方に、収容状態にある書類縁部の一部分が露出状となって利用者が手指を直接触れさせ、書類を直に取り扱い可能とするという機能か、または、書類を表裏シート面部間に装着する際の挿し込み口を形成する機能かの何れか、もしくは双方の機能を果たすものであり、表裏シート面部が一体化されずに開放状のままとした二辺縁の中の少なくとも何れか一方の辺縁適所から内側方向に適宜形状の凹欠状部分を形成したものとしなければならず、該何れか一方の辺縁の複数適所夫々に形成したものとすることが可能であり、手指先に干渉しない程度の凹欠直径に設定された円弧状または同等の底辺寸法に設定された三角形状あるいは多角形状に設定したものとすることが可能である外、保管などの対象とする所定矩形用紙の角付近を挿入できる程度の形状、寸法に設定されたものとすることができる。
【００２０】
雌雄ファスナー部は、表裏面シート面部の実質的に閉塞された二辺縁が形成する隅角部と対角線状に対峙する辺りの近傍内がわ適所夫々を、切り欠き部形成位置に支障を来すことなく、開放がわとなる二辺縁を互いに着脱自在に仮着可能とする機能を果たし、より具体的には、合成繊維製またはフック成型品からなるフック面ファスナーとループ面ファスナーとを該当する各所に貼着あるいは熔着、一体化されてなるもの、または、表裏シート面部の何れか一方の該当箇所に両面粘着剤帯を貼着し、各両面粘着帯の表裏シート面部何れか他方の各該当箇所を着脱自在な被粘着帯に設定し、且つ各両面粘着剤帯の露出面に剥離紙を貼着されてなるものとすることが可能であり、収納状態の矩形用紙に干渉しないよう対応角縁に沿って概略Ｌ字状に一体化、連続されるよう設定されてなるものとし、さらに、対応角縁に沿って概略Ｌ字状に一体化、連続された嵌着用凸条と、これに弾性的に嵌着可能な嵌着用溝との組み合わせからなる密閉用ファスナーに設定されてなるものとすることができ、表裏シート面部を互いに着脱可能とするよう対をなした鳩目型ファスナーとするよう設定されたものとすることも可能である。
以下では、図面に示すこの発明を代表する実施例と共に、その構造について詳述することとする。                                                                                                              
【実施例１】
【００２１】
図１の書類ホルダーの斜視図、および図２の展開状態にある書類ホルダーの正面図に図示される事例は、保形性ある適宜シート状素材を折れ目部３から二つ折にし、保管などの対象とする所定矩形用紙９の縦横寸法を上回る外形縦横寸法に設定されたものにすると共に、当該折れ目部３に隣り合う上下何れかの辺縁４１，５１を適宜手段で一体化してしまい、矩形状とした表裏シート面部４，５の隣り合う二辺縁３，４１（，５１）が実質的に閉塞されてなるホルダー本体２を形成する一方、該ホルダー本体２の表裏シート面部４，５の何れか一方のシート面部４で、これら表裏シート面部４，５が一体化されずに開放状のままとした二辺縁４２，４３，５２，５３の中の少なくとも何れか一方の辺縁適所から内側方向に適宜形状の切り欠き部６を形成すると共に、これら二辺縁４２，４３，５２，５３であって、前記した実質的に閉塞された二辺縁３，４１（，５１）が形成する隅角部２１と対角線状に対峙する辺りの近傍内がわ適所夫々には、これら開放がわの二辺縁４２，４３，５２，５３を仮着状とし得るようにした少なくとも一対の雌雄ファスナー部７，８の何れか一方と他方とが対をなし、且つ当該切り欠き部６形成位置に支障を来すことなく形成されてなる、この発明の書類ホルダーにおける代表的な一実施例を示すものである。
【００２２】
当該書類ホルダー１は、図２中に示すように、縦３１０・、横４４０・、厚さ０．２ないし０．３・の保形性ある白色透明なポリプロピレン、シート製のホルダー本体２を、その横巾２２０・の箇所に、同図２中に破線で示す、縦線状に設定された折れ目部３を境目として左右側に形成された矩形状の表裏シート面部４，５を、同図２中の白抜き矢印に示すよう折り畳み、それら表裏シート面部４，５における折れ目部３の下側に隣り合う辺縁４１，５１同士を、縦方向巾２・、横方向の長さ２０５・に亘って熱熔着（熱熔着部２２）して一体化したものとなっている。
前述のようにして折り目部３を折り畳み、表裏シート面部４，５を重ね合わせて形成されたホルダー本体２は、縦３１０・、横２２０・に設定され、図１中に二点鎖線で示すように、ＪＩＳ規格に基づくＡ４版の縦２９７・、横２１０・に設定された矩形用紙９の収納用に形成されたものとなっている。
【００２３】
ホルダー本体２は、表シート面部４の表裏シート面部４，５同士が一体化されずに開放状のままとした二辺縁４２，４３，５２，５３の中の縦方向に沿って開放する辺縁４３の上端から６５・の箇所から内側方向に、直径３０・の半円形をなす切り欠き部６が形成されており、また、同じ辺縁４３の下端から１３・の箇所から内側方向に７・の位置まで達し、前記熱熔着部２２に平行な底辺縁とこれに４５°の角度で交叉する斜辺とを有し、先端が円弧状に処理されてなる小切り欠き部６１が形成されたものとなっている。
【００２４】
ホルダー本体２の開放された二辺縁４２，４３，５２，５３は、実質的に閉塞された他の二辺縁３，４１（，５１）が形成する隅角部２１と対角線状に対峙する辺りの近傍内がわ適所夫々に、これら開放がわの二辺縁４２，４３，５２，５３を仮着状とし得るようにしたポリプロピレン製の三対の雌雄ファスナー部７，７，７，８，８，８が、切り欠き部６の形成位置に支障を来すことのないよう熱熔着によって一体化されている。
【００２５】
各雌雄ファスナー部７，７，７，８，８，８は、フック、ループ型、フック、ナッピング型、マッシュルーム、ループ型、マッシュルーム、ナッピング型とした合成繊維製のもの、またはフックを成型品としたもの等の何れかからなる５・前後の比較的小巾、１５・前後の比較的短尺状、帯型に形成されており、例えばフック面ファスナー７，７，７と、ループ面ファスナー８，８，８との組み合わせからなるものとし、その中の一対の雌雄ファスナー部７，８が、ホルダー本体２上端の横辺縁４２，５２における開放角縁内側付近であり、図１中に示すように、収容された矩形用紙９に重ならない配置とするよう設定されており、また別の一対の雌雄ファスナー部７，８は、開放状となる縦方向の辺縁４３，５３の上端寄りとなる縦辺縁の開放角縁内側付近における切り欠き部６よりも上側となる箇所に配され、さらに別の一対の雌雄ファスナー部７，８が、同じく開放状となる縦方向の辺縁４３，５３の切り欠き部６よりも下側となる箇所に設けられたものとなっている。
【００２６】
雌雄ファスナー部７，７，８，８は、図３の書類ホルダーの斜視図、および図４の展開状態にある書類ホルダーの正面図に示される事例のように、ホルダー本体２上端の横辺縁４２，５２における開放角縁内側付近から、開放状となる縦方向の辺縁４３，５３の上端寄りとなる縦辺縁の開放角縁内側付近における切り欠き部６よりも上側となる箇所に至る範囲に、収納状態の矩形用紙９に干渉しないよう対応角縁に沿って概略Ｌ字状に一体化して連続させてなるものとすることができる。
また、図示していないが、各雌雄ファスナー部７，７，７，８，８，８を、嵌着用凸条と、これに弾性的に嵌着可能な嵌着用溝との組み合わせからなる密閉用ファスナーに置き換えたものや、あるいは鳩目型ファスナーに置き換えたものなどとすることも勿論可能である。
【００２７】
（実施例の作用）
以上のとおりの構成からなるこの発明の書類ホルダー１は、図１に示すように、ホルダー本体２表裏シート面部４，５の開放がわとなる二辺縁４２，４３，５２，５３を開放操作し、各雌雄ファスナー部７，７，７，８，８，８を互いに離脱させ、Ａ４版サイズの矩形用紙（書類）９を、同図１中の二点鎖線に示すよう収容した後、各雌雄ファスナー部７，７，７，８，８，８の対応するもの同士を圧接、接着させたものとすると、図５の利用される書類ホルダーを示す正面図に示すように、各雌雄ファスナー部７，７，７，８，８，８によって閉鎖された隣接する二辺縁４２，４３，５２，５３間から矩形用紙９が脱落してしまうのを阻止するようにしてある。そして、書類ホルダー１から矩形用紙９を取り出すときには、表裏シート面部４，５の開放がわとなる二辺縁４２，４３，５２，５３を開放するために、互いに接着状となっている各雌雄ファスナー部７，７，７，８，８，８を引き剥がし操作し、内部に収容していた矩形用紙９を円滑に取り出すことを可能にする。
【００２８】
また、切り欠き部６を通じて矩形用紙９の縁部を容易に掴むことができるようにして円滑な矩形用紙９の取り出しを可能にし、しかも各雌雄ファスナー部７，７，７，８，８，８が、切り欠き部６の形成位置に支障を来すことなく配置されているので、各雌雄ファスナー部７，７，７，８，８，８の着脱操作、および矩形用紙９の収納ならびに取り出し操作を互いに影響なく行うことができるようにして効率的な利用を可能にするだけではなく、ホルダー本体２自体を、白色透明なポリプロピレン、シート製のものとすれば、内部に収納された矩形用紙９の表示を外部から視認できて資料の取り違いをなくすこととなって、更に効率的な作業を実現することができるものとなる。
【００２９】
図３および図４中に示したように、ホルダー本体上端の横辺縁４２，５２開放角縁内側付近から、縦方向の辺縁４３，５３の上端寄りとなる縦辺縁の開放角縁内側付近の切り欠き部６よりも上側となる箇所に至る範囲に、収納状態の矩形用紙９に干渉しないよう対応角縁に沿って概略Ｌ字状に一体化、連続するようにした雌雄ファスナー部７，８を設けてあり、図１および図２中に示したように、連続させてない雌雄ファスナー部７，７，８，８に比較してより強い接着力を発揮するものとなる。
【００３０】
各雌雄ファスナー部７，７，７，８，８，８が、両面粘着剤帯７，７，７と、それらと対をなす被粘着帯８，８，８とからなるようにしたものでは、ホルダー本体２の厚み寸法を増加させることなく、複数の書類ホルダー１，１，……を対象となる収納スペース内に効率的に収納することが可能となり、また、両面粘着剤帯７，７，７に、図示しない剥離紙を張着したものでは、工場生産後の保管や出荷、輸送等の各段階において両面粘着剤帯７，７，７の露出による粘着力の低下や汚染を防止し、使用の際には剥離紙を簡便に剥がし取り、粘着力を発揮して確実な閉鎖、吸着力を実現でき、更に、各雌雄ファスナー部７，７，８，８を、嵌着用凸条とこれに弾性的に嵌着可能な嵌着用溝との組み合わせからなる密閉用ファスナーにした場合には、各雌雄ファスナー部７，７，８，８をホルダー本体２に一体形成することも可能となって書類ホルダー１の生産性を高められ、さらにまた、各雌雄ファスナー部７，７，７，８，８，８に鳩目型ファスナーを用いるようにしたものでは開閉操作性を高めると共に、閉鎖状態を強固に保持できて耐久性の保証できる書類ホルダー１を提供できる。
【００３１】
（実施例の効果）
以上のような構成からなる実施例の書類ホルダー１は、前記この発明の効果の項で記載の特徴に加え、図１および図２または図３および図４中に示したように、実質的に閉塞された二辺縁３，４１（５１）が形成する隅角部２１と対角線状に対峙する辺りの近傍内がわであって、しかも切り欠き部６の形成位置に支障を来さない適所の夫々に配された三対の雌雄ファスナー部７，７，７，８，８，８により、図５中に示すように、折れ目部３に隣接する開放辺縁４２，５２の開放がわとなる角部分付近から、同折れ目部３とは反対がわとなる開放辺縁４３，５３の切り欠き部６を挟む両側付近に亘る範囲を、接着状に閉鎖することが可能となり、熱熔着部２２または折れ目部３の何れかを底辺として利用、収納および保管する場合の外、該熱熔着部２２とは反対がわの辺縁４２，５２を底辺とする姿勢や、あるいは同図５中に示すように、折れ目部３とは反対がわの辺縁４３，５３を底辺とする姿勢とした場合にも、ホルダー本体２内に収容された矩形用紙９が確実に保持され、何れの姿勢にあっても持ち運び利用や収納、保管などの際に矩形用紙９が落下することがなく安全、確実に保護できるようにするという大きな特徴を発揮するものとなる。
【００３２】
さらに、当該書類ホルダー１のホルダー本体２および各雌雄ファスナー部７，７，７，８，８，８を含む全体をポリプロピレン製とするなど、同種の素材から形成するよう配慮するようにしたものでは、当然とはいえ、使い古しなどで廃棄する際のリサイクル処理において分解、分別などの煩雑な作業が不要となり、そのまま円滑に再生利用することが可能となり、自然環境にも配慮した製品として市場に提供することができるという利点が得られる。
【００３３】
（結  び）
叙述の如く、この発明の書類ホルダーは、その新規な構成によって所期の目的を遍く達成可能とするものであり、しかも製造も容易で、従前からのクリアホルダーに比較して書類の出し入れ作業性を大幅に改善することが可能となり、しかも収納書類の脱落を確実に防止できることから重要書類の取り扱いにも有効に利用可能であり、資料類の整理や取り扱い作業性を大幅に改善し得るものとなり、様々な資料や書類等を整理、管理する企業や学校、殊に多くの患者のカルテを管理する医療機関等においては固よりのこと、普段の生活の中で細々としたメモやレシート類、証書などといった各種書類等を日常的に扱う一般家庭からも高い評価がなされ、広範に渡って利用、普及していくものになると予想される。                                                                                                      
【図面の簡単な説明】
【００３４】
図面は、この発明の書類ホルダーの技術的思想を具現化した代表的な幾つかの実施例を示すものである。
【図１】書類ホルダーを示す斜視図である。
【図２】製造途中にあるホルダー本体を示す正面図である。
【図３】一部に変更を加えた書類ホルダーを示す斜視図である。
【図４】製造途中にあるホルダー本体を示す正面図である。
【図５】書類ホルダーの利用状態を示す正面図である。
【図６】従来型のクリアホルダーを示す正面図である。
【符号の説明】
【００３５】
１      書類ホルダー
２      ホルダー本体
２１    同  隅角部
２２    同  熱熔着部
３      折れ目部
４      表シート面部
４１    同  上下何れかの辺縁
４２    同  上下何れか他方の辺縁
４３    同  折れ目部とは反対がわの辺縁
５      裏シート面部
５１    同  上下何れかの辺縁
５２    同  上下何れか他方の辺縁
５３    同  折れ目部とは反対がわの辺縁
６      切り欠き部
６１    同  小切り欠き部
７      雌（雄）ファスナー部
８      雄（雌）ファスナー部
９      書類（所定矩形用紙）                                                                                  
【図１】
2007283694.tif 000003
【図２】
2007283694.tif 000004
【図３】
2007283694.tif 000005
【図４】
2007283694.tif 000006
【図５】
2007283694.tif 000007
【図６】
2007283694.tif 000008